(57)【要約】 【課題】前掛眼鏡を眼鏡に簡易に着脱できると共に、前掛眼鏡をスムーズに撥ね上げることができ、然も、その撥ね上げ角度を無段階の任意の角度に設定できる撥ね上げ式眼鏡を提供する。【解決手段】眼鏡５に対して前掛眼鏡６を、着脱可能且つ撥ね上げ可能に磁気吸着状態で取り付けてなる。眼鏡５ａは、左右のレンズ部２ａ，２ａ相互を連結する連結部３の中央部分に丸軸状の軸状磁性部１０が設けられている。前掛眼鏡６の、左右の補助レンズ部１２，１２相互を連結する連結杆１３には、軸状磁性部１０を嵌め入れることができてこれを磁気吸着し得る円形凹面を有する凹状磁性部１９が設けられている。軸状磁性部１０を凹状磁性部１９に磁気吸着状態で嵌め入れることにより、前掛眼鏡６が、磁気吸着状態を維持しつつ、撥ね上げられた状態と下ろされた状態との角度範囲でスムーズに回動できる。【選択図】図３
2011053627.tif 000002
【特許請求の範囲】
【請求項１】
目と相対する左右の枠部相互を連結部で連結してなる眼鏡体の該連結部に対して前掛眼鏡を着脱可能且つ撥ね上げ可能に磁気吸着状態で取り付けてなる撥ね上げ式眼鏡であって、該前掛眼鏡は、前記左右の枠部の前面をその前側で覆い得る左右の補助レンズ部相互を連結杆で連結してなり、該連結部は、丸軸状の軸状磁性部を具える一方、前記連結杆には、該軸状磁性部を嵌め入れることができて該軸状磁性部を磁気吸着し得る凹部を有する凹状磁性部が設けられており、
該凹状磁性部の内面に前記軸状磁性部の外周面が接する状態で該軸状磁性部が該凹状磁性部に磁気吸着状態で嵌め入れられることにより、前記前掛眼鏡が、該磁気吸着状態を維持しつつ、前記左右の補助レンズ部が前記眼鏡体の前記左右の枠部の前面をその前側で覆った状態と、該左右の補助レンズ部が撥ね上げられた状態との角度範囲で回動可能となされており、又、該前掛眼鏡の所要の撥ね上げ状態を前記磁気吸着で保持できることを特徴とする撥ね上げ式眼鏡。
【請求項２】
前記眼鏡体を構成する左右の枠部は左右のレンズ部であることを特徴とする請求項１記載の撥ね上げ式眼鏡。
【請求項３】
前記眼鏡体を構成する左右の枠部はレンズを具えないことを特徴とする請求項１記載の撥ね上げ式眼鏡。
【請求項４】
前記前掛眼鏡をその撥ね上げられた状態から下方向に回動させた際に、前記左右の補助レンズ部が前記眼鏡体の前記左右の枠部の前面をその前側で覆った状態となるように前記連結部や前記連結杆に角度規制のストッパ部を設けたことを特徴とする請求項１、２又は３記載の撥ね上げ式眼鏡。
【発明の詳細な説明】
【技術分野】
【０００１】
本発明は撥ね上げ式眼鏡に関するものであり、より詳しくは、本体となる眼鏡体に対して前掛眼鏡を、着脱可能且つ撥ね上げ可能に磁気吸着状態で取り付けることのできる撥ね上げ式眼鏡に関するものである。
【背景技術】
【０００２】
眼鏡使用者の必要に応じ、サングラスや偏光眼鏡等を掛けた状態を得る目的で或いは着用眼鏡の視力矯正を図る等の目的で、各種タイプの撥ね上げ式眼鏡が実用に供されている。これらの内、前掛眼鏡を眼鏡に対して着脱可能且つ撥ね上げ可能に磁気吸着状態で取り付けてなる撥ね上げ式眼鏡の一例として、特表２００７−５０５２８０号公報が開示するものが提案されている。
【０００３】
該撥ね上げ式眼鏡は、図３４（Ａ）に示すように、左右のレンズ部相互を連結部ａで連結してなる眼鏡の該連結部ａに対して、左右の補助レンズ部相互を連結杆ｃで連結してなる前掛眼鏡ｂの該連結杆ｃを、連結装置ｄにより磁気吸着状態で取り付ける構成を有している。
【０００４】
該連結装置ｄは図３４（Ａ）に示すように、前記眼鏡を構成する前記連結部ａの長さ方向の中央部分に、断面が多角形状例えば正六角形状を呈する六角形軸状磁性部ｅを具えており、正六角形の対向する稜線組のうちの一組は上下に配置されている。今、各稜線を、下端から時計回りに、第１稜線ｆ１、第２稜線ｆ２、第３稜線ｆ３、第４稜線ｆ４、第５稜線ｆ５、第６稜線ｆ６とし、該六角形軸状磁性部ｅの側面は、前側の下の面から時計回りに、第１側面ｇ１、第２側面ｇ２、第３側面ｇ３、第４側面ｇ４、第５側面ｇ５、第６側面ｇ６とする。又、前記前掛眼鏡を構成する前記連結杆ｃは台形凹状磁性部ｈを具えている。該台形凹状磁性部ｈは、前記六角形軸状磁性部ｅの周方向で連なる３つの側面と磁気吸着状態で当接し得る第１磁性内面ｊ１と第２磁性内面ｊ２と第３磁性内面ｊ３が、凹部ｋを有する台形状凹面ｍを形成する如く設けられている。
【０００５】
図３４（Ａ）は、前記六角形軸状磁性部ｅの眼鏡前面側の半分ｎが前記台形凹状磁性部ｈの該凹部ｋに嵌め入れられた状態を示している。第１側面ｇ１、第２側面ｇ２、第３側面ｇ３の夫々が第１磁性内面ｊ１、第２磁性内面ｊ２、第３磁性内面ｊ３に磁気吸着しており、これによって、前記前掛眼鏡の前記連結杆ｃが、前記眼鏡の前記連結部ａに磁気吸着状態で取り付けられ、前記補助レンズ部が前記左右のレンズ部の前面をその前側で覆った状態となっている。
【０００６】
図３４（Ａ）〜図３４（Ｅ）は、該覆った状態にある前掛眼鏡を所要角度に撥ね上げるまでの間における、前記台形凹状磁性部ｈの前記六角形軸状磁性部ｅの軸線回りの回動動作（時計回りの回動動作）を示すものである。図３４（Ｂ）は、前掛眼鏡が前記覆った状態（図３４（Ａ））から稍回動した状態を示すものであり、台形状凹面ｍの対向する第１磁性内面ｊ１と第３磁性内面ｊ３に六角形の第２稜線ｆ２と第４稜線ｆ４が接した状態となっている。更に回転することにより、図３４（Ｃ）に示すように、第２側面ｇ２、第３側面ｇ３、第４側面ｇ４の夫々が第１磁性内面ｊ１、第２磁性内面ｊ２、第３磁性内面ｊ３に磁気吸着状態となる。六角形軸状磁性部ｅと台形凹状磁性部ｈは互いに磁気吸着し得るため、前掛眼鏡の回動によって図３４（Ｂ）に示す線接触状態から図３４（Ｃ）に示す面接触状態に移行する際、その回動は急激に行なわれ、前記第２稜線ｆ２と前記第４稜線ｆ４が台形状凹面ｍに強く急激に擦られながら図３４（Ｃ）に示す面接触状態となり、前掛眼鏡は衝撃的に急停止する。
【０００７】
前掛眼鏡を更に回動させると、図３４（Ｄ）に示すように、台形状凹面ｍの対向する第１磁性内面ｊ１と第３磁性内面ｊ３に六角形の第３稜線ｆ３と第５稜線ｆ５が接した状態となる。更に回動させると、図３４（Ｅ）に示すように、第３側面ｇ３、第４側面ｇ４、第５側面ｇ５の夫々が第１磁性内面ｊ１、第２磁性内面ｊ２、第３磁性内面ｊ３に磁気吸着状態となる。前掛眼鏡の回動によって図３４（Ｄ）に示す線接触状態から図３４（Ｅ）に示す面接触状態に移行する際、前記と同様に、その回動は急激に行なわれ、前記第３稜線ｆ３と前記第５稜線ｆ５が台形状凹面ｍに強く急激に擦られながら図３４（Ｅ）に示す面接触状態となり、前掛眼鏡は衝撃的に急停止する。図３４（Ｅ）は、前掛眼鏡が所要角度に撥ね上げられた状態である。
【０００８】
このように従来の撥ね上げ式眼鏡にあっては、前掛眼鏡の撥ね上げの際に、磁気吸着作用による衝撃的な急停止動作が生じて撥ね上げがスムーズでない問題があったばかりか、かかる急激な停止動作の際に、前記六角形軸状磁性部の特定された稜線のみが強く擦られることになり、その表面に施されている塗装やメッキが剥げやすく眼鏡の美観を損なう問題があった。又、前掛眼鏡の撥ね上げ角度が六角形軸状磁性部等の断面形態に特定されてしまい、自由な角度での撥ね上げができない問題もあった。更に、前掛眼鏡が衝撃的に急停止するため、その衝撃によって前掛眼鏡が眼鏡から脱落する恐れもあった。
【先行技術文献】
【特許文献】
【０００９】
【特許文献１】特表２００７−５０５２８０号公報
【発明の概要】
【発明が解決しようとする課題】
【００１０】
本発明は、前記従来の問題点に鑑みて開発されたものであり、前掛眼鏡を眼鏡体に簡易に着脱自在に装着できると共に、眼鏡体に装着された前掛眼鏡をスムーズに撥ね上げることができ、しかも、撥ね上げ角度を無段階の任意の角度に設定できる撥ね上げ式眼鏡の提供を課題とするものである。又本発明は、前掛眼鏡を撥ね上げ操作する際に、軸状磁性部の表面に施されている塗装やメッキが剥げにくく、又、撥ね上げ操作の際に前掛眼鏡が脱落するのを防止し得る撥ね上げ式眼鏡の提供を課題とするものである。
【課題を解決するための手段】
【００１１】
前記課題を解決するため本発明は以下の手段を採用する。
即ち、本発明に係る撥ね上げ式眼鏡は、目と相対する左右の枠部相互を連結部で連結してなる眼鏡体の該連結部に対して前掛眼鏡を着脱可能且つ撥ね上げ可能に磁気吸着状態で取り付けてなる撥ね上げ式眼鏡であって、該前掛眼鏡は、前記左右の枠部の前面をその前側で覆い得る左右の補助レンズ部相互を連結杆で連結してなり、該連結部は、丸軸状の軸状磁性部を具える一方、前記連結杆には、該軸状磁性部を嵌め入れることができて該軸状磁性部を磁気吸着し得る凹部を有する凹状磁性部が設けられている。そして、該凹状磁性部の内面に前記軸状磁性部の外周面が接する状態で該軸状磁性部が該凹状磁性部に磁気吸着状態で嵌め入れられることにより、前記前掛眼鏡が、該磁気吸着状態を維持しつつ、前記左右の補助レンズ部が前記眼鏡体の前記左右の枠部の前面をその前側で覆った状態と、該左右の補助レンズ部が撥ね上げられた状態との角度範囲で回動可能となされており、又、該前掛眼鏡の所要の撥ね上げ状態を前記磁気吸着で保持できることを特徴とするものである。
【００１２】
前記撥ね上げ式眼鏡において、前記眼鏡体を構成する左右の枠部は左右のレンズ部であることの他、該枠部は、レンズを具えないこともある。
【００１３】
前記前掛眼鏡をその撥ね上げられた状態から下方向に回動させた際に、前記左右の補助レンズ部が前記眼鏡体の前記左右の枠部の前面をその前側で所要に覆った状態となるように前記連結部や前記連結杆に角度規制のストッパ部を設けるのがよい。
【発明の効果】
【００１４】
本発明は以下の如き優れた効果を奏する。
(1) 本発明に係る撥ね上げ式眼鏡は、前掛眼鏡に設けた凹状磁性部の内面に眼鏡体の丸軸状の軸状磁性部の外周面が接する状態で該軸状磁性部を該凹状磁性部に磁気吸着状態で嵌め入れる構成を採用している。
従って本発明によるときは、該磁気吸着状態を維持しつつ、前記前掛眼鏡を、円弧を描くようにスムーズに撥ね上げることができる一方、下方向に回動させて下ろした状態とすることができ、その撥ね上げ状態を無段階の任意の角度に設定できる。そして、このようにスムーズな回動（従来のような衝撃的な急停止を伴わない滑らかな回動）を達成できるために、軸状磁性部の表面に施されている塗装やメッキが剥げにくい。又、前掛眼鏡の撥ね上げを、振動を伴わないでスムーズに行うことができるため、前掛眼鏡が眼鏡から脱落する恐れがない。加えて、例えば撥ね上げられた状態にある前掛眼鏡に、不用意に手が強く当たった場合においても、該前掛眼鏡の上方向又は下方向への回動の余裕によって且つその回動がスムーズであることによって、該前掛眼鏡が外れにくい利点もある。
【００１５】
(2) 又、本発明は前記構成を有するため、前掛眼鏡を眼鏡体に着脱可能且つ撥ね上げ可能にワンタッチ操作で容易に取り付けることができると共に、前掛眼鏡を眼鏡体から分離するのも容易である。
かかることから使用者は、遮光機能や偏光機能、視力矯正機能などを有する所望の前掛眼鏡を選択してこれを眼鏡体に取り付けることにより、その必要に応じた撥ね上げ式眼鏡を簡易に構成でき、該前掛眼鏡を前記下ろした状態とすることにより、遮光眼鏡や偏光眼鏡、矯正眼鏡等を装着したのと同様の効果が得られることになる。
【図面の簡単な説明】
【００１６】
【図１】本発明に係る撥ね上げ式眼鏡を、前掛眼鏡が下ろされた状態で示す斜視図である。
【図２】撥ね上げ式眼鏡を構成する眼鏡と前掛眼鏡を示す斜視図である。
【図３】撥ね上げ式眼鏡を構成する眼鏡と前掛眼鏡を示す斜視図である。
【図４】撥ね上げ式眼鏡を、前掛眼鏡が下ろされた状態で示す側面図と断面図である。
【図５】撥ね上げ式眼鏡を、前掛眼鏡が撥ね上げられた状態で示す側面図と断面図である。
【図６】撥ね上げ式眼鏡の他の実施例を示す斜視図である。
【図７】その撥ね上げ式眼鏡において、前掛眼鏡が下ろされた状態を示す側面図と断面図である。
【図８】その撥ね上げ式眼鏡において、前掛眼鏡が撥ね上げられた状態を示す側面図と断面図である。
【図９】撥ね上げ式眼鏡のその他の実施例を示す斜視図である。
【図１０】その撥ね上げ式眼鏡を構成する眼鏡体と前掛眼鏡を示す斜視図である。
【図１１】その撥ね上げ式眼鏡において、前掛眼鏡が下ろされた状態を示す側面図と断面図である。
【図１２】その撥ね上げ式眼鏡において、前掛眼鏡が撥ね上げられた状態を示す側面図と断面図である。
【図１３】撥ね上げ式眼鏡のその他の実施例を示す斜視図である。
【図１４】その撥ね上げ式眼鏡において、前掛眼鏡が下ろされた状態を示す側面図と断面図である。
【図１５】その撥ね上げ式眼鏡において、前掛眼鏡が撥ね上げられた状態を示す側面図と断面図である。
【図１６】撥ね上げ式眼鏡のその他の実施例を示す斜視図である。
【図１７】その撥ね上げ式眼鏡において、前掛眼鏡が下ろされた状態を示す側面図と断面図である。
【図１８】その撥ね上げ式眼鏡において、前掛眼鏡が撥ね上げられた状態を示す側面図と断面図である。
【図１９】撥ね上げ式眼鏡のその他の実施例を示す斜視図である。
【図２０】その撥ね上げ式眼鏡において、前掛眼鏡が下ろされた状態を示す側面図と断面図である。
【図２１】その撥ね上げ式眼鏡において、前掛眼鏡が撥ね上げられた状態を示す側面図と断面図である。
【図２２】凹状磁性部に軸状磁性部を嵌め入れた他の態様を示す断面図である。
【図２３】２個の磁石を組み合わせて構成された凹状磁性部を示す断面図である。
【図２４】２個の磁石を組み合わせて構成された凹状磁性部を示す斜視図と断面図である。
【図２５】３個の磁石を組み合わせて構成された凹状磁性部を示す断面図である。
【図２６】２個の磁石を組み合わせて構成された凹状磁性部を示す断面図である。
【図２７】２個の磁石を組み合わせて構成された凹状磁性部を示す断面図である。
【図２８】２個の磁石を組み合わせて構成された凹状磁性部を示す断面図である。
【図２９】２個の磁石を組み合わせて構成された凹状磁性部を示す断面図である。
【図３０】凹状磁性部に軸状磁性部を嵌め入れたその他の態様を示す断面図である。
【図３１】軸状磁性部のその他の態様を、該軸状磁性部が凹状磁性部に嵌め入れられた状態で示す断面図である。
【図３２】撥ね上げ式眼鏡を構成する眼鏡の他の態様を前掛眼鏡と共に示す斜視図である。
【図３３】角度規制のストッパ部の一例を示す斜視図と断面図である。
【図３４】従来の磁気吸着方式の撥ね上げ式眼鏡の問題点を説明する断面図である。
【発明を実施するための形態】
【実施例１】
【００１７】
図１〜２、図４〜５において本発明に係る撥ね上げ式眼鏡１は、目と相対する左右の枠部２，２相互を連結部３で連結してなる眼鏡体５に対して前掛眼鏡６を、着脱可能且つ撥ね上げ可能に磁気吸着状態で取り付けてなるものである。
【００１８】
該眼鏡体５は本実施例においては図２〜３に示すように、レンズ４をリム８で包持してなる左右のレンズ部２ａ，２ａとしての前記左右の枠部２，２相互を連結部３で連結してなる眼鏡５ａとして構成されている。そして該連結部３は、該左右のレンズ部２ａ，２ａの上縁部の内方部位９，９相互を連結する左右方向に延びる軸状に構成されており、該連結部３の中央部分は、図２〜３に示すように、断面円形の丸軸状の軸状磁性部１０として構成されている。
【００１９】
前記前掛眼鏡６は、図１〜５に示すように、前記眼鏡５ａの前記左右のレンズ部２ａ，２ａの前面１１，１１をその前側で覆い得る左右の補助レンズ部（例えば遮光レンズ）１２，１２の上縁部相互を連結杆１３で連結してなり、該連結杆１３の中央部分には保持部１５が設けられている。該保持部１５の前記眼鏡５ａに面する側には、前記軸状磁性部１０の半分弱の部分を略密接した状態で嵌め入れることのできる、凹部１６が半円弧状の円形凹面１７を有する凹状磁性部１９が設けられている。本実施例においては、前記左右の補助レンズ部１２，１２が前記眼鏡５ａの左右のレンズ部２ａ，２ａの前面１１，１１をその前側で覆ってなる下ろされた状態（図１、図４）において、前記凹部１６が後方に向けて開放状態にあり、前記軸状磁性部１０の略前半分が該凹部１６に、磁気吸着状態で嵌め入れられるようになされている。
【００２０】
本実施例においては、前記軸状磁性部１０は鉄製（磁力に反応する鉄合金製）であり前記凹状磁性部１９は磁石（例えば、強力なネオジウム磁石）で構成されている。該凹状磁性部１９の円形凹面１７に前記軸状磁性部１０の外周面２０が接する状態で該軸状磁性部１０を該凹状磁性部１９に嵌め入れると、該軸状磁性部１０と該凹状磁性部１９とが磁気吸着状態となり、図４、図１に示すように、前掛眼鏡６が眼鏡５ａに取り付けられることになる。
【００２１】
前記前掛眼鏡６は、該磁気吸着状態を維持しつつ、前記左右の補助レンズ部１２，１２が前記眼鏡５ａの左右のレンズ部２ａ，２ａの前面１１，１１をその前側で覆った状態（図４、図１）と、該左右の補助レンズ部１２，１２が所要に撥ね上げられた状態との角度範囲で回動可能となされている。そして前記磁石による磁気吸着力の大きさは、撥ね上げられた前掛眼鏡６を、これが不用意に下方向に回動しないように磁気吸着で保持できる程度に設定されている。
【００２２】
かかる構成の撥ね上げ式眼鏡１によるときは、前掛眼鏡６を、円弧を描くようにスムーズに撥ね上げることができると共に、円弧を描くようにスムーズに下方向に回動させて、前記左右の補助レンズ部１２，１２が前記左右のレンズ部２ａ，２ａの前面１１，１１をその前側で覆った状態となすことができる。又、その撥ね上げを無段階の任意の角度に設定できる。そして、このようにスムーズな回動を達成できるために、軸状磁性部１０の外周面２０に施されている塗装やメッキが剥げにくい。更に、前掛眼鏡６の撥ね上げがスムーズであるために、前掛眼鏡６が眼鏡５ａから脱落する恐れがない。
【００２３】
そして、前記凹状磁性部１９に前記軸状磁性部１０を磁気吸着状態で嵌め入れることにより、前掛眼鏡６を眼鏡５ａに着脱可能且つ撥ね上げ可能にワンタッチ操作で容易に取り付けることができると共に、該凹状磁性部１９から該軸状磁性部１０を取り外すのも容易であり前掛眼鏡６を眼鏡５ａから容易に分離させ得る。
【００２４】
かかることから使用者は、遮光機能や偏光機能、視力矯正機能などを有する所要の前掛眼鏡を選択してこれを眼鏡５ａに取り付けることにより、その必要に応じた撥ね上げ式眼鏡１を構成できることとなる。使用者の必要に応じて、該前掛眼鏡６を前記下ろされた状態で使用するときは、撥ね上げ式眼鏡１を遮光眼鏡や偏光眼鏡、或いは視力矯正眼鏡等として使用することができる一方、該前掛眼鏡６を撥ね上げた状態においては、眼鏡５ａのレンズを通して見ることができる。該前掛眼鏡６は、撥ね上げられた前掛眼鏡が視野に殆ど入らない状態となるように例えば１００〜１２０度程度の比較的大きな角度に撥ね上げることができるが、例えば、顔を下に向けた姿勢で小さな文字を読む際等においては、多少の撥ね上げ状態とされることもある。このように、使用者の必要に応じて前掛眼鏡の撥ね上げ角度を自由に設定できるのである。そして、遮光眼鏡や偏光眼鏡等を必要としない場合は、前掛眼鏡６を眼鏡５ａから取り外して該眼鏡５ａを単独で使用できる。
【実施例２】
【００２５】
図６〜８は、本発明に係る撥ね上げ式眼鏡１の他の実施例を示すものであり、前記軸状磁性部１０は断面円形の丸軸状に構成される一方、前記凹状磁性部１９は、該軸状磁性部１０を嵌め入れることのできる凹部１６が台形状凹面２１を有している。該凹状磁性部１９は、例えば図６〜７に示すように、磁石面として形成された３つの磁性内面（両傾斜側面２２，２３と底面２５）を有しており、該両傾斜側面２２，２３としての磁性内面に前記軸状磁性部１０の外周面２０が線接触状態で当接して軸状磁性部１０が前記凹部１６に嵌め入れられ、該軸状磁性部１０と該凹状磁性部１９とが磁気吸着状態となるように構成されている。軸状磁性部１０がこのように底面としての磁性内面２５から若干浮いた状態となっても、該磁性内面２５と軸状磁性部１０との間でも磁気吸着作用が得られる。
【００２６】
本実施例においては、前記左右の補助レンズ部１２，１２が前記眼鏡５ａの左右のレンズ部２ａ，２ａの前面１１，１１をその前側で覆った下ろされた状態において、前記凹部１６が後方に向けて開放状態にあり、前記軸状磁性部１０の略前半分が該凹部１６に磁気吸着状態で嵌め入れられるようになされている。そして、前記磁石面による磁気吸着力の大きさは、撥ね上げられた前掛眼鏡６を、これが不用意に下方向に回動しないように磁気吸着で保持できる程度に設定されている。
【００２７】
かかる構成の撥ね上げ式眼鏡１によるときも前記と同様にして、前掛眼鏡６を、円弧を描くようにスムーズに撥ね上げることができると共に、円弧を描くようにスムーズに下方向に回動させて、前記左右の補助レンズ部１２，１２が前記左右のレンズ部２ａ，２ａの前面１１，１１をその前側で覆った状態となすことができる。又、その撥ね上げを無段階の任意の角度に設定できる。そして、このようにスムーズな回動を達成できるために、軸状磁性部１０の外周面２０に施されている塗装やメッキが剥げにくい。更に、前掛眼鏡６の撥ね上げがスムーズであるために、前掛眼鏡６が眼鏡５ａから脱落する恐れがない。そして該撥ね上げ式眼鏡１は、前記と同様にして、使用者の必要に応じて、該前掛眼鏡６を前記下ろした状態や撥ね上げた状態で使用でき、或いは、該前掛眼鏡６を眼鏡５ａから取り外して該眼鏡５ａを単独で使用できる。
【実施例３】
【００２８】
図９〜１２は本発明に係る撥ね上げ式眼鏡１のその他の実施例を示すものであり、眼鏡体５がレンズを具えない枠体５ｂである場合の一例を示している。
【００２９】
即ち、該撥ね上げ式眼鏡１は、目と相対する左右の枠部（左右方向に稍湾曲した縁部として構成されており、レンズを具えていない）２，２相互を連結部３で連結してなる枠体５ｂとしての眼鏡体５の該連結部３に対して前掛眼鏡６を着脱可能且つ撥ね上げ可能に磁気吸着状態で取り付ける構成を有している。かかる撥ね上げ式眼鏡１は、左右の枠部２，２がレンズを具えない点において前記実施例１、前記実施例２に係る撥ね上げ式眼鏡１と相違するだけであり、軸状磁性部１０と凹状磁性部１９の構成及び、該軸状磁性部１０が該凹状磁性部１９に磁気吸着状態で嵌め入れられた状態となる構成、前掛眼鏡６が、該磁気吸着状態を維持しつつ、前記左右の補助レンズ部１２，１２が前記左右の枠部２，２の前面２７，２７をその前側で覆った状態と、該左右の補助レンズ部１２，１２が所要に撥ね上げられた状態との角度範囲で回動可能となされている構成、前記磁石による磁気吸着力の大きさが、撥ね上げられた前掛眼鏡６を、これが不用意に下方向に回動しないように磁気吸着で保持できる程度に設定されている点については、前記実施例におけると同様であるため、その具体的な説明を省略する。
【００３０】
かかる構成を要する撥ね上げ式眼鏡１によるときは、使用者が、遮光眼鏡や偏光眼鏡等としての前掛眼鏡６を磁気吸着状態で眼鏡体５に取り付けることにより、該前掛眼鏡６を下ろされた状態で使用する際はこれを遮光眼鏡や偏光眼鏡、或いは近眼鏡や老眼鏡等の視力矯正眼鏡等として使用することができる一方、該前掛眼鏡６を撥ね上げた状態にあっては、手元を見る際やトンネルを走行中において裸眼視できる。
【実施例４】
【００３１】
本発明は、前記実施例で示したものに限定されるものでは決してなく、「特許請求の範囲」の記載内で種々の設計変更が可能であることはいうまでもない。その一例を挙げれば次のようである。
【００３２】
(1) 図１３〜１５、図１６〜１８、図１９〜２１は、前記前掛眼鏡６の保持部１５の凹状磁性部１９の他の態様を示すものである。
図１３〜１５に示す凹状磁性部１９は、前記左右の補助レンズ部１２，１２が前記眼鏡５ａの左右のレンズ部２ａ，２ａの前面１１，１１をその前側で覆った下ろされた状態において、その凹部１６が下方に開放した状態にある。該凹部１６は、例えば、前記軸状磁性部１０の半分弱を略密接した状態で嵌め入れることのできる半円弧状の円形凹面１７を有する如く構成されている。このように構成したときも前記実施例におけると同様にして、前掛眼鏡６は、磁気吸着状態を維持しつつ、該下ろされた状態と所要に撥ね上げられた状態との角度範囲で、円弧を描くようにスムーズに回動可能であり、所要の撥ね上げ状態が磁気吸着で保持される。
【００３３】
図１６〜１８に示す凹状磁性部１９は、前記左右の補助レンズ部１２，１２が前記眼鏡５ａの左右のレンズ部２ａ，２ａの前面１１，１１をその前側で覆った下ろされた状態において、その凹部１６が上方に開放した状態にある。該凹部１６は、例えば、前記軸状磁性部１０の略半分を略密接した状態で嵌め入れることのできる半円弧状の円形凹面１７を有する如く構成されている。このように構成したときも前記実施例におけると同様にして、前掛眼鏡６は、磁気吸着状態を維持しつつ、該下ろされた状態と所要に撥ね上げられた状態との角度範囲で、円弧を描くようにスムーズに回動可能であり、所要の撥ね上げ状態が磁気吸着で保持される。
【００３４】
図１９〜２１に示す凹状磁性部１９は、前記左右の補助レンズ部１２，１２が前記眼鏡５ａの左右のレンズ部２ａ，２ａの前面１１，１１をその前側で覆った下ろされた状態において、その凹部１６が前方に開放した状態にある。該凹部１６は、例えば、前記軸状磁性部１０の略半分を略密接した状態で嵌め入れることのできる半円弧状の円形凹面１７を有する如く構成されている。このように構成したときも前記実施例におけると同様にして、前掛眼鏡６は、磁気吸着状態を維持しつつ、該下ろされた状態と所要に撥ね上げられた状態との角度範囲で、円弧を描くようにスムーズに回動可能であり、所要の撥ね上げ状態が磁気吸着で保持される。
【００３５】
凹状磁性部１９をこれらのように構成する場合も、前記眼鏡体５が、前記左右の枠部２，２がレンズを具えない枠体５ｂとして構成されることがある他、前記凹部１６が前記と同様構成の台形状凹面２１を有する如く構成されることもある。
【００３６】
(2) 本発明に係る撥ね上げ式眼鏡において、前記実施例における場合とは逆に、前記軸状磁性部１０を磁石とし、前記凹状磁性部１９を、該磁石と吸着し得る鉄製とすることもある。或いは、軸状磁性部１０と凹状磁性部１９の双方を磁石で構成することもある。
【００３７】
(3) 前記凹状磁性部１９が、その凹部１６が台形状凹面２１を有する如く構成される場合、図２２に示すように、磁石面として形成された三つの磁性内面（両傾斜側面２２，２３と底面２５）に前記軸状磁性部１０の外周面２０が線接触状態で当接することもある。
【００３８】
(4) 図２３〜２８は、凹状磁性部１９のその他の態様を示すものであり、複数個の磁石を組み合わせて構成されている。
図２３に示す凹状磁性部１９は、円形凹面１７を呈する凹部１６を有する如く構成されており、２個の磁石２９，２９，２９の端面３０，３０相互を磁気吸着や接着等の手段で一体化してなるものである。図２４に示す凹状磁性部１９は、台形状凹面２１を呈する凹部１６を有する如く構成されており、２個の磁石を両傾斜面部に配置して該台形状凹面２１の両傾斜側面２２，２３のみが磁性内面として形成されている。又図２５に示す凹状磁性部１９は、台形状凹面２１を呈する凹部１６を有する如く形成されており、３分割された磁石２９，２９，２９の端面相互を磁気吸着や接着等の手段で一体化して磁性内面（両傾斜側面２２，２３と底面２５）が形成されている。図２４〜２５においては、前記軸状磁性部１０の外周面２０が前記凹部１６の両傾斜側面２２，２３に線接触状態で当接した場合が示されている。
又、図２６〜２９に示す凹状磁性部１９は、２個の磁石２９，２９を組み合わせてＶ字状凹面３１を呈する凹部１６を有する如く構成されており、該Ｖ字状凹面３１は、前記軸状磁性部１０の外周面２０と２箇所で線接触し得る。
【００３９】
(5) 図３０は、凹状磁性部１９が円形凹面１７を呈する凹部１６を有する如く構成されており、前記軸状磁性部１０の外周面２０が該凹部１６の両縁３２，３２に線接触状態で当接した場合を示している。
【００４０】
(6) 本発明において丸軸状の軸状磁性部１０には、断面が完全な円形を呈するものの他、例えば図３１に示すように、前記前掛眼鏡６の回動角度範囲において前記凹状磁性部１９と接触しない部分３０が平坦面や凹面等の非円形面に形成されたものも含まれる。
【００４１】
(7) 前記前掛眼鏡６が回動を繰り返す内に、軸状磁性部１０の外周面２０に施されている塗装やメッキが徐々に摩耗することは予想される。これに対処するために、例えば軸状磁性部１０を比較的硬質の樹脂で被覆する一方、前記凹状磁性部１９の内面を比較的柔らかい樹脂で被覆する等、軸状磁性部を保護する手段を採用することもある。
【００４２】
(8) 前記眼鏡５ａは、例えば図３２に示すような、レンズの上縁部分に取り付く縁枠３１の両端３３，３３に、前記レンズ４の下縁部分に取り付けられたコード３５の端部分を止着してなる縁無眼鏡として構成されることもある。
【００４３】
(9) 前掛眼鏡６は、左右の補助レンズ部１２，１２が一連に連なったものとして、例えばプラスチック製サングラスとして構成されることもある。
【００４４】
(10)前記眼鏡体５が前記枠体５ｂである場合において前掛眼鏡６が近眼鏡や老眼鏡であるときは、視力矯正をより確実とするために、該前掛眼鏡６をその撥ね上げられた状態から下方向に回動させた際に左右の補助レンズ部１２，１２が目に対してより正しい位置関係となるように、例えば図３３に示す如く、前記連結部３や前記連結杆１３等に、角度規制のストッパ部３５を設けるのが好ましい。なお、かかるストッパ部を設ける構成は、眼鏡５ａに対して前掛眼鏡６を取り付ける場合にも応用できる。
【符号の説明】
【００４５】
１  撥ね上げ式眼鏡
２  枠部
２ａ  レンズ部
３  連結部
５  眼鏡体
５ａ  眼鏡
５ｂ  眼鏡枠
６  前掛眼鏡
１０  軸状磁性部
１１  枠部の前面
１２  補助レンズ部
１３  連結杆
１５  保持部
１６  凹部
１９  凹状磁性部
２０  軸状磁性部の外周面
２１  台形状凹面
２２  磁性内面
２３  磁性内面
２５  磁性内面
【図１】
2011053627.tif 000003
【図２】
2011053627.tif 000004
【図３】
2011053627.tif 000005
【図４】
2011053627.tif 000006
【図５】
2011053627.tif 000007
【図６】
2011053627.tif 000008
【図７】
2011053627.tif 000009
【図８】
2011053627.tif 000010
【図９】
2011053627.tif 000011
【図１０】
2011053627.tif 000012
【図１１】
2011053627.tif 000013
【図１２】
2011053627.tif 000014
【図１３】
2011053627.tif 000015
【図１４】
2011053627.tif 000016
【図１５】
2011053627.tif 000017
【図１６】
2011053627.tif 000018
【図１７】
2011053627.tif 000019
【図１８】
2011053627.tif 000020
【図１９】
2011053627.tif 000021
【図２０】
2011053627.tif 000022
【図２１】
2011053627.tif 000023
【図２２】
2011053627.tif 000024
【図２３】
2011053627.tif 000025
【図２４】
2011053627.tif 000026
【図２５】
2011053627.tif 000027
【図２６】
2011053627.tif 000028
【図２７】
2011053627.tif 000029
【図２８】
2011053627.tif 000030
【図２９】
2011053627.tif 000031
【図３０】
2011053627.tif 000032
【図３１】
2011053627.tif 000033
【図３２】
2011053627.tif 000034
【図３３】
2011053627.tif 000035
【図３４】
2011053627.tif 000036